(57)【要約】      （修正有）【課題】受話側の端末における出力音声の音量を、当該受話側の端末に移動せずとも送信側の端末にて容易に調整する。【解決手段】インターホン端末１ａ、１ｂ間でハンズフリー通話を成立させるにあたり、スピーカ１６ａ、１６ｂから出力された受話音声信号が伝搬される音響空間Ａ、Ｂを経由したマイク１１ａ、１１ｂまでの音響空間特性及びマイク、スピーカ、当該インターホン端末の筐体特性に対応の音響帰還逆フィルタ情報によりマイクの出力信号を信号処理するためのデジタル帰還逆フィルタ１４ａ、１４ｂと、一方の当該インターホン端末のデジタル帰還逆フィルタから伝送路を経由して伝送されてくる出力信号を記憶するためのメモリ１８ａ、１８ｂと、スピーカ及び当該インターホン端末の筐体特性に対応の音響出力逆フィルタ情報によりメモリから読み出される受話音声信号を信号処理するためのデジタルスピーカ逆フィルタ１９ａ、１９ｂとを備える。【選択図】図１
2011199753.tif 000002
【特許請求の範囲】
【請求項１】
伝送路（Ｌ）を経由して接続される複数のインターホン端末（１ａ、１ｂ）間でハンズフリー通話を成立させるハンズフリーインターホン装置であって、
前記インターホン端末は、前記ハンズフリー通話を成立させるための送話音声信号及び受話音声信号を入出力するマイク（１１ａ、１１ｂ）及びスピーカ（１６ａ、１６ｂ）と、前記スピーカから出力された前記受話音声信号が伝搬される音響空間（Ａ、Ｂ）を経由した前記マイクまでの音響空間特性及び前記マイク、前記スピーカ、当該インターホン端末の筐体特性に対応の音響帰還逆フィルタ情報により前記マイクの出力信号を信号処理するためのデジタル帰還逆フィルタ（１４ａ、１４ｂ）と、一方の当該インターホン端末の前記デジタル帰還逆フィルタから前記伝送路を経由して伝送されてくる出力信号を記憶するためのメモリ（１８ａ、１８ｂ）と、前記スピーカ及び当該インターホン端末の筐体特性に対応の音響出力逆フィルタ情報により前記メモリから読み出される受話音声信号を信号処理するためのデジタルスピーカ逆フィルタ（１９ａ、１９ｂ）とを備えることを特徴とするハンズフリーインターホン装置
【請求項２】
前記インターホン端末は、前記マイクに入力された前記送話音声信号を増幅するためのマイクアンプ（１２ａ、１２ｂ）と、前記スピーカから出力させる前記受話音声信号を増幅するためのスピーカアンプ（１７ａ、１７ｂ）と、前記マイクアンプから前記デジタル帰還逆フィルタ又は前記伝送路への信号伝送ラインを切り替えるための送話側切替手段（１５ａ、２１ａ、１５ｂ、２１ｂ）と、前記伝送路から前記スピーカアンプ又は前記メモリへの信号伝送ラインを切り替えるための受話側切替手段（２０ａ、２１ａ、２０ｂ、２１ｂ）とを備えることを特徴とする請求項１記載のハンズフリーインターホン装置。
【発明の詳細な説明】
【技術分野】
【０００１】
本発明は、伝送路を経由して接続される複数のインターホン端末間でハンズフリー通話を成立させるハンズフリーインターホン装置に係り、特に、受話側の端末からの出力音声の音量を送話側の端末にて調整するハンズフリーインターホン装置に関する。
【背景技術】
【０００２】
従来から、ハンズフリー通話を成立させるために出力される受話音声の音量を、音量設定用のユーザインターフェイス、例えば、１個の音量調節つまみで調節し、所望の音量に設定するハンドフリー式インターホンが開示されている（例えば、特許文献１を参照。）。
【０００３】
しかしながら、特許文献１のハンドフリー式インターホンにおいて、受話音声の音声を手動で調整するにあたっては、ハンズフリー通話を成立させるインターホン端末毎に個別の設定操作が必要となり、作業者にとって、設定先の当該端末の設置位置が遠い場合には、その移動に大きな時間が必要となるばかりでなく、実際に音量の確認を行うにあたっては、少なくとも２人の作業者によってハンズフリー通話を成立させる必要があり、煩雑さを有する難点があった。
【０００４】
そこで、音量の調整を自動で行う当該装置として、呼出音量、受話音量及び送話音量をそれぞれ、周囲雑音レベルに対応して自動調整することができる携帯電話装置が開示されている（例えば、特許文献２を参照。）。
【先行技術文献】
【特許文献】
【０００５】
【特許文献１】特開平６−３１１２４９号公報
【特許文献２】特開平１０−３０４０３０号公報
【発明の概要】
【発明が解決しようとする課題】
【０００６】
しかしながら、背景技術に記載した特許文献２の携帯電話装置において、周囲雑音レベルに対応して出力される音声の音量は、メーカ側で設定された音量となる。このため、ユーザ毎の好みに対応した音量の音声出力を得ることは困難であり、音量の感じ方や好みの音量が異なるユーザ毎に十分に対応できなかった。
【０００７】
本発明は、この難点を解消するためになされたものであって、送話側の端末にて増幅利得を調整した音声信号を同一の波形特性で受話側の端末にて出力し、この出力と同一の波形特性の音声信号を送話側の端末にて出力することにより、受話側の端末における出力音声の音量を、当該受話側の端末に移動せずとも送信側の端末にて容易に調整することができるハンズフリーインターホン装置を提供することを目的としている。
【課題を解決するための手段】
【０００８】
前述の目的を達成するため、本発明の第１の態様であるハンズフリーインターホン装置は、伝送路を経由して接続される複数のインターホン端末間でハンズフリー通話を成立させるハンズフリーインターホン装置である。インターホン端末は、ハンズフリー通話を成立させるための送話音声信号及び受話音声信号を入出力するマイク及びスピーカと、スピーカから出力された受話音声信号が伝搬される音響空間を経由したマイクまでの音響空間特性及びマイク、スピーカ、当該インターホン端末の筐体特性に対応の音響帰還逆フィルタ情報によりマイクの出力信号を信号処理するためのデジタル帰還逆フィルタと、一方の当該インターホン端末のデジタル帰還逆フィルタから伝送路を経由して伝送されてくる出力信号を記憶するためのメモリと、スピーカ及び当該インターホン端末の筐体特性に対応の音響出力逆フィルタ情報によりメモリから読み出される受話音声信号を信号処理するためのデジタルスピーカ逆フィルタとを備えるものである。
【０００９】
また、本発明の第２の態様であるハンズフリーインターホン装置は、本発明の第１の態様において、インターホン端末は、マイクに入力された送話音声信号を増幅するためのマイクアンプと、スピーカから出力させる受話音声信号を増幅するためのスピーカアンプと、マイクアンプからデジタル帰還逆フィルタ又は伝送路への信号伝送ラインを切り替えるための送話側切替手段と、伝送路からスピーカアンプ又はメモリへの信号伝送ラインを切り替えるための受話側切替手段とを備えるものである。
【発明の効果】
【００１０】
本発明のハンズフリーインターホン装置によれば、伝送路を経由してハンズフリー通話を成立させる複数のインターホン端末のうち、マイクアンプが有する増幅利得を調整した送話側のインターホン端末の使用者は、受話側のインターホン端末のスピーカから出力させた受話音声信号を、同一の波形特性の受話音声信号として自インターホン端末のスピーカから出力させることができる。これにより、送話側のインターホン端末の使用者にとっては、受話側のインターホン端末の設置場所まで移動せずとも、受話側のインターホン端末における受話音声の音量を容易に調整することができ、余分な移動や作業者の確保が不要となり、その作業の利便性が高められる。
【００１１】
また、本発明のハンズフリーインターホン装置によれば、複数のインターホン端末のデジタル帰還逆フィルタが有する音響帰還逆フィルタ情報、及びデジタルスピーカ逆フィルタが有する音響出力逆フィルタ情報をそれぞれ、インターホン端末固有のフィルタ情報として備えることができるため、多種・多様な仕様の当該インターホン端末の組み合わせに適用することができ、これらの逆フィルタ情報には、周波数情報が含まれているため、調整された音量の確認だけではなく、その音質も同時に確認することができる。
【００１２】
さらに、本発明のハンズフリーインターホン装置によれば、受話側のインターホン端末のスピーカから出力させた受話音声信号を、一時的に送話側のインターホン端末のメモリに記憶することができ、当該レベルの調整時において、所謂、ハンズフリーの同時通話が成立することがないため、ハウリングの発生が抑えられる。
【図面の簡単な説明】
【００１３】
【図１】図１は、本発明の実施例によるハンズフリーインターホン装置の具体的な構成を示すブロック図である。
【図２】図２は、本発明の実施例によるハンズフリーインターホン装置において適用される送話音声信号及び受話音声信号の波形特性図である。
【発明を実施するための形態】
【００１４】
以下、本発明のハンズフリーインターホン装置を適用した最良の実施の形態例について、図面を参照して説明する。
【００１５】
図１は、本発明の実施例によるハンズフリーインターホン装置の具体的な構成を示す回路ブロック図であり、伝送路Ｌを経由して接続される複数のインターホン端末、ここでは、２台のインターホン端末（以下、第１、第２の各インターホン端末という。）１ａ、１ｂで構成されている。
【００１６】
第１、第２の各インターホン端末１ａ、１ｂは同様な構成であり、操作部１０ａ、１０ｂ、マイク１１ａ、１１ｂ、マイクアンプ１２ａ、１２ｂ、送話側増幅利得設定部１３ａ、１３ｂ、デジタル帰還逆フィルタ１４ａ、１４ｂ、送話側切替スイッチ１５ａ、１５ｂ、スピーカ１６ａ、１６ｂ、スピーカアンプ１７ａ、１７ｂ、メモリ１８ａ、１８ｂ、デジタルスピーカ逆フィルタ１９ａ、１９ｂ、受話側切替スイッチ２０ａ、２０ｂ、制御部２１ａ、２１ｂ及びインターフェース（以下、端末Ｉ／Ｆという。）２２ａ、２２ｂが備えられている。
【００１７】
この第１、第２の各インターホン端末１ａ、１ｂにおいて、操作部１０ａ、１０ｂは、制御部２１ａ、２１ｂにより操作検出され、一方の当該インターホン端末の使用者が他方の当該インターホン端末を呼び出すための呼出操作や、当該呼び出しに応答するための応答操作のみならず、受話側の当該インターホン端末のスピーカ１６ａ、１６ｂから出力させる受話音声信号の音量を、送話側の当該インターホン端末の送話側増幅利得設定部１３ａ、１３ｂを使用して調整するにあたり、その起動操作を行うものである。
【００１８】
マイク１１ａ、１１ｂ及びスピーカ１６ａ、１６ｂは、当該インターホン端末の使用者がハンズフリー通話を成立させるための送話音声信号及び受話音声信号を入出力するものである。また、マイクアンプ１２ａ、１２ｂは、マイク１１ａ、１１ｂに入力された送話音声信号を増幅するためのものであり、スピーカアンプ１７ａ、１７ｂは、スピーカ１６ａ、１６ｂから出力させる受話音声信号を増幅するためのものである。また、送話側増幅利得設定部１３ａ、１３ｂは、受話側の当該インターホン端末のスピーカ１６ａ、１６ｂから出力させる受話音声信号の音量を送話側の当該インターホン端末の送話側増幅利得設定部１３ａ、１３ｂを使用して調整するにあたり、そのレベル調整を行うものである。
【００１９】
デジタル帰還逆フィルタ１４ａ、１４ｂは、スピーカ１６ａ、１６ｂから出力された受話音声信号が伝搬される音響空間Ａ、Ｂを経由したマイク１１ａ、１１ｂまでの音響空間特性及びマイク１１ａ、１１ｂ、スピーカ１６ａ、１６ｂ、当該インターホン端末の筐体特性に対応の音響帰還逆フィルタ情報により、マイク１１ａ、１１ｂの出力信号を信号処理し、端末Ｉ／Ｆ２２ａ、２２ｂに送出するためのものである。
【００２０】
送話側切替スイッチ１５ａ、１５ｂは、制御部２１ａ、２１ｂにより制御され、マイクアンプ１２ａ、１２ｂからデジタル帰還逆フィルタ１４ａ、１４ｂ又は伝送路Ｌへの信号伝送ラインを切り替えるためのものである。また、受話側切替スイッチ２０ａ、２０ｂは、制御部２１ａ、２１ｂにより制御され、伝送路Ｌからスピーカアンプ１７ａ、１７ｂ又はメモリ１８ａ、１８ｂへの信号伝送ラインを切り替えるためのものである。
【００２１】
メモリ１８ａ、１８ｂは、制御部２２ａ、２２ｂにより制御（書き込み・記憶制御、読み出し制御）され、受話側の当該インターホン端末から伝送路Ｌ、端末Ｉ／Ｆ２２ａ、２２ｂ、受話側切替スイッチ２０ａ、２０ｂを経由して伝送されてくる音声信号を記憶するためのものであり、例えば、ＲＡＭ、ＥＥＰＲＯＭ等の各種の記憶媒体で構成されている。
【００２２】
デジタルスピーカ逆フィルタ１９ａ、１９ｂは、スピーカ１６ａ、１６ｂと当該インターホン端末の筐体特性に対応の音響出力逆フィルタ情報により、制御部２１ａ、２１ｂの制御によってメモリ１８ａ、１８ｂから読み出される音声信号を信号処理し、スピーカアンプ１７ａ、１７ｂに送出するためのものであって、このデジタルスピーカ逆フィルタ１９ａ、１９ｂが有する音響出力逆フィルタ情報は、メモリ１８ａ、１８ｂからの出力信号で更新することができる。
【００２３】
制御部２１ａ、２１ｂは、当該インターホン端末を構成する前述の構成各部を制御するためのものである。また。端末Ｉ／Ｆ２２ａ、２２ｂは、マイクアンプ１２ａ、１２ｂから送話側切替スイッチ１５ａ、１５ｂを経由して伝送路Ｌへの信号伝送ラインと、デジタル帰還逆フィルタ１４ａ、１４ｂから伝送路Ｌへの信号伝送ラインと、伝送路Ｌから受話側切替スイッチ２０ａ、２０ｂを経由してスピーカアンプ１７ａ、１７ｂ又はメモリ１８ａ、１８ｂへの信号伝送ラインと、制御部２１ａ、２１ｂ及び伝送路Ｌの間の信号伝送ラインとを、それぞれ形成するためのものである。
【００２４】
このように構成された本発明の実施例によるハンズフリーインターホン装置において、以下、具体的な動作について、図１、図２をそれぞれ参照して説明する。なお、図２は、当該実施例において適用される送話音声信号及び受話音声信号の波形特性図である。
【００２５】
図１に示す第１、第２の各インターホン端末１ａ、１ｂのうち、ここでは、第２のインターホン端末１ｂを受話側の当該インターホン端末として、スピーカ１６ｂから出力させる受話音声信号の音量を、送話側の当該インターホン端末である第１のインターホン端末１ａの送話側増幅利得設定部１３ａを使用して調整するにあたって、当該第１のインターホン端末の使用者Ｐは、操作部１０ａにて所定の起動操作を行う。この操作を検出した制御部２１ａは、送話側切替スイッチ１５ａを制御し、マイクアンプ１２ａから当該送話側切替スイッチを経由して端末Ｉ／Ｆ２２ａへの信号伝送ラインを形成するとともに、受話側切替スイッチ２０ａを制御し、端末Ｉ／Ｆ２２ａから当該受話側切替スイッチを経由してメモリ１８ａへの信号伝送ラインを形成する。また、制御部２１ａは、メモリ１８ａの書き込み・記憶動作を能動とするとともに、調整起動信号Ｓ1を生成し、端末Ｉ／Ｆ２２ａ、伝送路Ｌ、第２のインターホン端末１ｂの端末Ｉ／Ｆ２２ｂを経由して制御部１８ｂに送出する。
【００２６】
第２のインターホン端末１ｂの制御部１８ｂは、第１のインターホン端末１ａの制御部１８ａからの調整起動信号Ｓ1を受信すると、送話側切替スイッチ１５ｂを制御し、マイクアンプ１２ｂから当該送話側切替スイッチを経由してデジタル帰還逆フィルタ１４ｂへの信号伝送ラインを形成するとともに、受話側切替スイッチ２０ｂを制御し、端末Ｉ／Ｆ２２ｂから当該受話側切替スイッチを経由してスピーカアンプ１７ｂへの信号伝送ラインを形成する。また、制御部２１ｂは、デジタル帰還逆フィルタ１４ｂの動作を能動とする。
【００２７】
ここで、第１のインターホン端末１ａの使用者Ｐによりマイク１１ａに入力された例えば、図２に示す送話音声信号Ｓ10は、増幅利得設定部１３ａの操作によって調整（レベル調整）されたマイクアンプ１２ａが有する増幅利得で増幅された後、送話側切替スイッチ１５ａ、端末Ｉ／Ｆ２２ａ、伝送路Ｌ、第２のインターホン端末１ｂの端末Ｉ／Ｆ２２ｂ、受話側切替スイッチ２０ｂを経由してスピーカアンプ１７ｂに伝送され、このスピーカアンプ１７ｂが有する増幅利得で増幅された後、例えば、図２に示す受話音声信号Ｓ11としてスピーカ１６ｂから出力される。
【００２８】
また、第２のインターホン端末１ｂのスピーカ１６ｂから出力された受話音声信号Ｓ11は、音響空間Ｂを経由してマイク１１ｂに音響帰還されることにより、マイクアンプ１２ｂが有する増幅利得で増幅された例えば、図２に示す送話音声信号Ｓ12は、送話側切替スイッチ１５ｂを経由してデジタル帰還逆フィルタ１４ｂに送出される。このデジタル帰還逆フィルタ１４ｂは、スピーカ１６ｂから出力された受話音声信号Ｓ11が伝搬される音響空間Ｂを経由したマイク１１ｂまでの音響空間特性及びマイク１１ｂ、スピーカ１６ｂ、当該インターホン端末の筐体特性に対応の例えば、図２に示す音響帰還逆フィルタ情報Ｉ14bによって送話音声信号Ｓ12を信号処理する。すなわち、デジタル帰還逆フィルタ１４ｂは、送話音声信号Ｓ12について前述の音響帰還逆フィルタ情報Ｉ14bで打ち消すような信号処理を行うことにより、例えば、図２に示すように、スピーカ１６ｂから出力された受話音声信号Ｓ11と同一の波形特性の送話音声信号Ｓ13を生成することができる。この送話音声信号Ｓ13は、デジタル帰還逆フィルタ１４ｂから端末Ｉ／Ｆ２２ｂ、伝送路Ｌ、第１のインターホン端末１ａの端末Ｉ／Ｆ２２ａ、受話側切替スイッチ２０ａを経由してメモリ１８ａに伝送され、当該メモリに（一時的に）記憶される。
【００２９】
なお、第２のインターホン端末１ｂのデジタル帰還逆フィルタ１４ｂは、前述の音響帰還逆フィルタ情報Ｉ14bを生成するにあたって、その具体的な生成手段としては、打ち消したい特性の周波数逆特性を計算する手段、又は打ち消したい特性の時間的インパルス応答の逆応答を計算する手段が適用される。
【００３０】
次に、前述の記憶動作の後、第１のインターホン端末１ａの使用者Ｐは、操作部１０ａにて所定の読出起動操作を行う。この操作を検出した制御部２１ａは、メモリ１８ａの読み出し動作及びデジタルスピーカ逆フィルタ１９ａの動作をそれぞれ能動とする。また、デジタルスピーカ逆フィルタ１９ａは、メモリ１８ａに記憶された送話音声信号Ｓ13を読み出し、スピーカ１６ａ及び当該インターホン端末の筐体特性に対応の例えば、図２に示す音響出力逆フィルタ情報Ｉ19aによって送話音声信号Ｓ13を信号処理する。すなわち、デジタルスピーカ逆フィルタ１９ａは、送話音声信号Ｓ13について前述の音響出力逆フィルタ情報Ｉ19aで打ち消すような信号処理を行うことにより、例えば、図２に示す受話音声信号Ｓ14を生成することができる。この受話音声信号Ｓ14は、スピーカアンプ１７ａが有する増幅利得で増幅された後、第２のインターホン端末１ｂのスピーカ１６ｂから出力された受話音声信号Ｓ11、当該第２のインターホン端末のデジタル帰還逆フィルタ１４ｂから出力された送話音声信号Ｓ13とそれぞれ同一の波形特性の例えば、図２に示す受話音声信号Ｓ15としてスピーカ１６ａから出力される。
【００３１】
なお、第１のインターホン端末１ａのデジタルスピーカ逆フィルタ１９ａは、前述の音響帰還逆フィルタ情報Ｉ19aを生成するにあたって、その具体的な生成手段としては、打ち消したい特性の周波数逆特性を計算する手段、又は打ち消したい特性の時間的インパルス応答の逆応答を計算する手段が適用される。
【００３２】
ここまでの動作によれば、第１のインターホン端末１ａの送話側増幅利得設定部１３ａを使用して、マイクアンプ１２ａが有する増幅利得を調整した使用者Ｐは、第２のインターホン端末１ｂのスピーカ１６ｂから出力させた受話音声信号Ｓ11を、自インターホン端末１ａのスピーカ１６ａから同一の波形特性の受話音声信号Ｓ15として出力させることができる。
【００３３】
これにより、第１のインターホン端末１ａの使用者Ｐにとっては、第２のインターホン端末１ｂの設置場所まで移動せずとも、第２のインターホン端末１ｂのスピーカ１６ｂから出力させる受話音声信号Ｓ11の音量を、送話側増幅利得設定部１３ａを使用して容易に調整することができ、余分な移動や作業者の確保が不要となり、その作業の利便性が高められる。
【００３４】
なお、前述までの説明から明らかなように、本発明の実施例によれば、図１に示す第１、第２の各インターホン端末１ａ、１ｂのうち、第２のインターホン端末１ｂのスピーカ１６ｂから出力させる受話音声信号の音量を、送話側の当該インターホン端末である第１のインターホン端末１ａの送話側増幅利得設定部１３ａを使用して調整する動作について説明したが、この態様に限定されず、第１のインターホン端末１ａのスピーカ１６ａから出力させる受話音声信号の音量を、送話側の当該インターホン端末である第２のインターホン端末１ｂの増幅利得設定部１３ｂを使用して調整する場合であっても同様な効果を得ることができる。
【００３５】
これにより、第２のインターホン端末１ｂの使用者（図示せず。）にとっては、第１のインターホン端末１ａの設置場所まで移動せずとも、第１のインターホン端末１ａのスピーカ１６ａから出力させる受話音声信号の音量を、送話側増幅利得設定部１３ｂを使用して容易に調整することができ、余分な移動や作業者の確保が不要となり、その作業の利便性が高められる。
【００３６】
また、本発明のハンズフリーインターホン装置によれば、複数のインターホン端末１ａ、１ｂのデジタル帰還逆フィルタ１４ａ、１４ｂが有する音響帰還逆フィルタ情報、及びデジタルスピーカ逆フィルタ１９ａ、１９ｂが有する音響出力逆フィルタ情報をそれぞれ、インターホン端末固有のフィルタ情報として備えることができるため、多種・多様な仕様の当該インターホン端末の組み合わせに適用することができる。例えば、複数のインターホン端末の組み合わせとして、住戸玄関等の住戸外に設置される子機及び住戸内に設置される親機の組み合せのみならず、この親機と当該親機に接続される増設親機との組み合わせ等にも適用可能である。
【００３７】
また、本発明のハンズフリーインターホン装置によれば、複数のインターホン端末１ａ、１ｂのデジタル帰還逆フィルタ１４ａ、１４ｂが有する音響帰還逆フィルタ情報、及びデジタルスピーカ逆フィルタ１９ａ、１９ｂが有する音響出力逆フィルタ情報にはそれぞれ、周波数情報が含まれているため、調整された音量の確認だけではなく、その音質も同時に確認することができる。
【００３８】
さらに、本発明のハンズフリーインターホン装置によれば、受話側のインターホン端末１ｂ（１ａ）のスピーカ１６ｂ（１６ａ）から出力させた受話音声信号を、一時的に送話側のインターホン端末１ａ（１ｂ）のメモリ１８ａ（１８ｂ）に記憶することができ、当該レベルの調整時において、所謂、ハンズフリーの同時通話が成立することがないため、ハウリングの発生が抑えられる。
【００３９】
なお、本発明のハンズフリーインターホン装置においては、特定の実施の形態をもって説明してきたが、この形態に限定されるものでなく、本発明の効果を奏する限り、これまで知られた如何なる構成のハンズフリーインターホン装置であっても採用できるということはいうまでもないことである。
【符号の説明】
【００４０】
１ａ、１ｂ……複数のインターホン端末
１１ａ、１１ｂ……マイク
１２ａ、１２ｂ……マイクアンプ
１３ａ、１３ｂ……送話側増幅利得設定部
１４ａ、１４ｂ……デジタル帰還逆フィルタ
１５ａ、１５ｂ……送話側切替スイッチ（送話側切替手段）
１６ａ、１６ｂ……スピーカ
１７ａ、１７ｂ……スピーカアンプ
１８ａ、１８ｂ……メモリ
１９ａ、１９ｂ……デジタルスピーカ逆フィルタ
２０ａ、２０ｂ……受話側切替スイッチ（受話側切替手段）
２１ａ、２１ｂ……制御手段（送話側切替手段、受話側切替手段）
Ａ、Ｂ……音響空間
【図１】
2011199753.tif 000003
【図２】
2011199753.tif 000004